(57)【要約】【課題】フィルタの形状を変更することなく、フィルタの交換頻度を低減することができる排気ガス浄化装置を提供する。【解決手段】排気管１の中途位置に、フィルタ１２とフィルタ収納管２３と保持材２６とを備え、フィルタ１２が同一形状に形成されている入口端面１２ａ及び出口端面１２ｂと、それらを繋ぐ外周面１２ｃとを有している柱状の構造体であり、フィルタ１２を保持する構造が、フィルタ収納管２３及び保持材２６から構成されて、この保持する構造の緊迫力に関して、フィルタ１２の排気ガスの流方向ｘにおける下流側に掛かる下流緊迫力Ｆｅを、上流側に掛かる上流緊迫力Ｆｄ以下にする構造にした。【選択図】図１
2018009509.tif 000002
【特許請求の範囲】
【請求項１】
エンジンから排出された排気ガスが通過する排気管の中途位置に配置されて排気ガスに含有された粒子状物質を捕集するフィルタと、このフィルタを収納するフィルタ収納管と、このフィルタとそのフィルタ収納管との間に介在している保持材とを備えている排気ガス浄化装置において、
前記フィルタが同一形状に形成されている入口端面及び出口端面と、それら入口端面及び出口端面を繋ぐ外周面とを有している柱状の構造体であり、
前記フィルタを保持する構造が、前記フィルタ収納管及び前記保持材から構成されており、この保持する構造によって前記フィルタに掛かる緊迫力に関して、前記フィルタの排気ガスの流方向における下流側に掛かる下流緊迫力を、上流側に掛かる上流緊迫力以下にする構造であることを特徴とする排気ガス浄化装置。
【請求項２】
前記保持する構造が、前記フィルタに捕集された粒子状物質が燃焼する温度で、前記下流緊迫力を前記上流緊迫力以下にする構造である請求項１に記載の排気ガス浄化装置。
【請求項３】
前記保持する構造が、前記フィルタ収納管の下流側の管径が上流側の管径よりも大きい構造である請求項１又は２に記載の排気ガス浄化装置。
【請求項４】
前記保持する構造が、下流側の前記保持材の詰め込み量が上流側の前記保持材の詰め込み量も少ない構造である請求項１〜３のいずれか１項に記載の排気ガス浄化装置。
【請求項５】
前記保持する構造が、下流側の前記保持材の熱膨張率が上流側の前記保持材の熱膨張率よりも小さい構造である請求項１〜４のいずれか１項に記載の排気ガス浄化装置。
【発明の詳細な説明】
【技術分野】
【０００１】
本発明は、排気ガス浄化装置に関し、詳しくは、排気ガス中のＰＭを捕集するフィルタの交換頻度を低減する排気ガス浄化装置に関する。
【背景技術】
【０００２】
排気ガスに含有されるＰＭ（粒子状物質）を捕集するフィルタは、高温時に排気ガスの流方向の上流側よりも下流側の温度が高くなり、下流側の熱膨張による変形量が大きくなり、下流側に熱応力が集中する。この熱応力によってフィルタが破損しないように、フィルタを定期的に交換する必要があった。
【０００３】
これに関して、ハニカム基材で構成されたフィルタの外周面を下流側に縮径するテーパ状に形成した排気ガス浄化装置が提案されている（例えば、特許文献１参照）。この装置は、フィルタの外周形状をテーパ状に形成したことで、下流側に生じる熱応力を低減して、フィルタの交換頻度を低減している。
【先行技術文献】
【特許文献】
【０００４】
【特許文献１】特開２００８−２１２９１７号公報
【発明の概要】
【発明が解決しようとする課題】
【０００５】
ところが、この装置では、特許文献１の図面に示されているように、ハニカム構造体に形成された通気孔が流方向の下流側に向かって縮径している等、ハニカム構造体の形状、特に柱状セルの形状を変形する必要があり、製造し難くなるという問題がある。
【０００６】
本発明は、上記のことを鑑みてなされたものであり、その目的は、フィルタの形状を変更することなく、フィルタの交換頻度を低減することができる排気ガス浄化装置を提供することにある。
【課題を解決するための手段】
【０００７】
上記の目的を達成する本発明の排気ガス浄化装置は、エンジンから排出された排気ガスが通過する排気管の中途位置に配置されて排気ガスに含有された粒子状物質を捕集するフィルタと、このフィルタを収納するフィルタ収納管と、このフィルタとそのフィルタ収納管との間に介在している保持材とを備えている排気ガス浄化装置において、前記フィルタが同一形状に形成されている入口端面及び出口端面と、それら入口端面及び出口端面を繋ぐ外周面とを有している柱状の構造体であり、前記フィルタを保持する構造が、前記フィルタ収納管及び前記保持材から構成されており、この保持する構造によって前記フィルタに掛かる緊迫力に関して、前記フィルタの排気ガスの流方向における下流側に掛かる下流緊迫力を、上流側に掛かる上流緊迫力以下にする構造であることを特徴とする。
【発明の効果】
【０００８】
本発明によれば、フィルタの形状を変更せずに、フィルタを保持する構造を、フィルタの下流側に掛かる下流緊迫力を上流側に掛かる上流緊迫力以下にしたことで、フィルタの下流側が熱膨張した場合に生じる熱応力を低減できる。これにより、フィルタの強制再生時にフィルタが高温になると下流側に生じる過度の熱応力の低減には有利になり、フィルタの耐久性が向上できる。これに伴って、フィルタの交換頻度を低減することができる。
【０００９】
また、フィルタの強制再生時にフィルタが従来に比して高温になっても、フィルタの下流側に生じる熱応力を低減できる。これにより、フィルタの強制再生に至るまでのＰＭの堆積量の増加には有利になり、フィルタの強制再生の頻度を低下することができる。
【図面の簡単な説明】
【００１０】
【図１】本発明の排気ガス浄化装置の第一実施形態を例示する斜視図である。
【図２】図１の排気ガス浄化装置を例示するフィルタの強制再生時以外の排ガスの流方向の縦断面図である。
【図３】図１の排気ガス浄化装置を例示するフィルタの強制再生時の排ガスの流方向の縦断面図である。
【図４】本発明の排気ガス浄化装置の第二実施形態を例示するフィルタの強制再生時以外の排ガスの流方向の縦断面図である。
【図５】図４の排気ガス浄化装置を例示するフィルタの強制再生時の排ガスの流方向の縦断面図である。
【図６】本発明の排気ガス浄化装置の第三実施形態を例示するフィルタの強制再生時以外の排ガスの流方向の縦断面図である。
【図７】図６の排気ガス浄化装置を例示するフィルタの強制再生時の排ガスの流方向の縦断面図である。
【発明を実施するための形態】
【００１１】
以下に、本発明の実施形態について、図面を参照して説明する。図中では、ｘを排気ガスの流方向（排気管１の管軸方向）とし、ｙを排気管１の径方向（流方向ｘに直交する方向）とする。
【００１２】
ここでは、フィルタ１２の下流側に掛かる下流緊迫力Ｆｅを上流側に掛かる上流緊迫力Ｆｄ以下にするフィルタ１２を保持する構造として、図１〜図３に例示する第一実施形態と、図４及び図５に例示する第二実施形態と、図６及び図７に例示する第三実施形態とについて、順次説明する。
【００１３】
図１に例示するように、第一実施形態の排気ガス浄化装置１０は、図示しないエンジンから排出された排気ガスが通過する排気管１の中途位置に配置されている。排気ガス浄化装置１０は、酸化触媒装置１１とフィルタ１２とが排気ガスの流方向ｘに向かって上流側から順に配置されている。排気ガス浄化装置１０は、酸化触媒装置１１及びフィルタ１２を収納する管状のケース２０を備えている。
【００１４】
図２に例示するように、酸化触媒装置１１は、径方向ｙの横断面が円になる円柱状に形成されたフルースルー型のハニカム基材で構成されている。フィルタ１２は、径方向ｙの横断面が円になる円柱状に形成されたウォールフロー型のハニカム基材で構成されている。
【００１５】
酸化触媒装置１１は、コーディエライトなどを原料としたセラミックスで構成された多孔質の隔壁１３を有している。隔壁１３は、流方向ｘに延在している。酸化触媒装置１１は、この隔壁１３により区画されて、排気ガスが流入する入口から流出する出口まで貫通して排気ガスの流路となる複数の通気孔（セル）１４が形成されている。
【００１６】
隔壁１３は、酸化触媒を担持している。この酸化触媒は、排気ガスに含有される浄化対象成分を酸化する触媒である。酸化触媒としては、白金（Ｐｔ）、ロジウム（Ｒｈ）、パラジウム（Ｐｄ）などの貴金属が例示される。浄化対象成分としては、炭化水素、一酸化炭素、及び一酸化窒素が例示される。
【００１７】
フィルタ１２は、シリコンカーバイドやコーディエライトなどを原料としたセラミックスで構成された多孔質の隔壁１５と目封じ部材１６とを有している。フィルタ１２は、隔壁１５により、排気ガスが流入する入口から流出する出口まで貫通して排気ガスの流路となる複数の通気孔（セル）１７が形成されている。この通気孔１７は、目封じ部材１６により入口又は出口のどちらか一方が塞がれており、フィルタ１２の流入側端面及び流出側端面では、隣り合う通気孔１７が交互に塞がれている。
【００１８】
ケース２０は、接続用拡径管２１、触媒収納管２２、フィルタ収納管２３、及び接続用縮径管２４を有している。接続用拡径管２１、触媒収納管２２、フィルタ収納管２３、及び接続用縮径管２４は、排気ガスの流方向ｘの上流側から下流側に向かって順に配置されて、互いに連結されている。接続用拡径管２１、触媒収納管２２、フィルタ収納管２３、及び接続用縮径管２４のそれぞれの管軸Ｌ１は流方向ｘに直線状に並んでいる。
【００１９】
接続用拡径管２１は、排気管１と触媒収納管２２とを接続しており、流方向ｘの下流側に向かって管径が拡径している。触媒収納管２２は、内部に保持材２５を介して酸化触媒装置１１を収納しており、管径が一定の円管である。フィルタ収納管２３は、内部に保持材２６を介してフィルタ１２を収納しており、管径が一定の円管である。接続用縮径管２４は、フィルタ収納管２３と排気管１とを接続しており、流方向ｘの下流側に向かって管径が縮径している。
【００２０】
保持材２５、２６は、筒状の無機繊維成形マットであり、酸化触媒装置１１の柱面と触媒収納管２２の内筒面との間に、フィルタ１２の柱面とフィルタ収納管２３の内筒面との間にそれぞれ介在している。保持材２５、２６としては、バーミキュライトなどの加熱膨張材やセラミックファイバなどの耐熱材をバインダによりマット状に形成したものが例示される。
【００２１】
この実施形態の保持材２６は、フィルタ１２の外周面１２ｃの全域を覆うように、径方向ｙの横断面が円環の円環柱状に形成されている。このように、フィルタ１２の外周面１２ｃの全域を覆うことで、保持材２６がフィルタ１２とフィルタ収納管２３との間のシールの役割を果たす。保持材２６とは別にシール材を用いてもよく、その場合に、保持材２６の形状は限定されない。例えば、シート状に形成された複数の保持材２６を等間隔にフィルタ１２の外周に配置してもよい。
【００２２】
排気ガス浄化装置１０は、フィルタ１２が、同一形状に形成されている入口端面１２ａ及び出口端面１２ｂと、それら入口端面１２ａ及び出口端面１２ｂを繋ぐ外周面１２ｃとを有している柱状の構造体である。また、フィルタ１２が、流方向ｘにおける上流部１２ｄと下流部１２ｅとに区分されている。
【００２３】
そして、フィルタ１２を保持する構造は、フィルタ収納管２３及び保持材２６から構成されており、下流部１２ｅを保持する下流保持部３１ｅによる下流緊迫力Ｆｅを、上流部１２ｄを保持する上流保持部３１ｄによる上流緊迫力Ｆｄ以下にする構造である。
【００２４】
上流部１２ｄは、入口端面１２ａを含む区分であり、フィルタ１２の流方向ｘにおける上流側に配置されている。下流部１２ｅは、出口端面１２ｂを含む区分であり、フィルタ１２の流方向ｘにおける下流側に配置されている。上流部１２ｄと下流部１２ｅとの区分は、フィルタ１２を強制再生したときの温度分布に応じて設定されている。フィルタ１２の強制再生時には、フィルタ１２で捕集したＰＭが燃焼するが、この燃焼により排気ガスの温度が上昇する。したがって、強制再生時のフィルタ１２の温度分布は、流方向ｘの上流側から下流側に向かって高くなる。また、温度分布の高低は、フィルタ１２の径方向ｙの熱膨張率の大小に換言できることから、上流部１２ｄと下流部１２ｅとの区分は、フィ
ルタ１２を強制再生したときの熱膨張率に応じて設定されてもよい。
【００２５】
出口端面１２ｂは、開口部分が多くなり、熱膨張による変形量がフィルタ１２で最も大きくなる部分である。つまり、下流部１２ｅは、フィルタ１２の強制再生時に最も高温になる出口端面１２ｂを少なくとも含む区分である。この実施形態で、下流部１２ｅは、出口端面１２ｂを含み、フィルタ１２の流方向ｘの中央部から下流側に離間した部分から出口端面１２ｂまでの区分になる。
【００２６】
フィルタ１２を保持する構造は、フィルタ収納管２３の内周面に保持材２６を配置し、それらからフィルタ１２の外周面１２ｃに基準緊迫力Ｆ０を掛ける構造である。この保持する構造は、フィルタ１２に捕集されたＰＭが燃焼する温度で、下流保持部３１ｅから下流部１２ｅの外周面１２ｃに掛かる下流緊迫力Ｆｅを、上流保持部３１ｄから上流部１２ｄの外周面１２ｃに掛かる上流緊迫力Ｆｄ以下にする構造である。
【００２７】
緊迫力は、フィルタ１２の外周面１２ｃを径方向ｙの中央側に向かって押圧する力であり、フィルタ１２の熱膨張による変形量と、保持材２６の熱膨張による変形量により変化する。エンジンから排気ガスが排出されていない状態やフィルタ１２を強制再生していない温度が低い状態における基準緊迫力Ｆ０は、フィルタ１２が保持する構造から脱しない程度に設定されている。
【００２８】
保持する構造は、フィルタ収納管２３の管径、保持材２６のフィルタ収納管２３の内筒面における単位面積当たりの詰め込み量、及び保持材２６の熱膨張率のいずれか一つ、あるいはいずれか二つの組み合わせ、あるいは全部を上流保持部３１ｄと下流保持部３１ｅとで異ならせる構造である。この実施形態の保持する構造は、保持材２６を全域で均一として、下流保持部３１ｅにおけるフィルタ収納管２３の管径Ｒｅを上流保持部３１ｄにおけるフィルタ収納管２３の管径Ｒｄよりも大きくする構造である。
【００２９】
フィルタ収納管２３は、上流保持部３１ｄに相当する部分が、管径が一定の円管であり、下流保持部３１ｅに相当する部分が、流方向ｘの上流側から下流側に向かって拡径する拡径管である。フィルタ収納管２３としては、上流保持部３１ｄに相当する部分と下流保持部３１ｅに相当する部分とが管径の異なる円管で構成された段付き管としてもよい。
【００３０】
管径Ｒｄと管径Ｒｅとの比は、フィルタ１２の上流部１２ｄと下流部１２ｅとの熱膨張率の比と等しくするとよい。
【００３１】
排気ガス浄化装置１０においては、排気ガスが酸化触媒装置１１、フィルタ１２の順に通過する。酸化触媒装置１１では、担持された酸化触媒により、流入した排気ガスに含有された炭化水素を水蒸気と二酸化炭素に、一酸化炭素を二酸化炭素に、一酸化窒素を二酸化窒素にそれぞれ酸化する。フィルタ１２では、目封じ部材１６により、流入した排気ガスが多孔質の隔壁１５を通過するときに、この隔壁１５で排気ガスに含有されるＰＭ（粒子状物質）を濾し取り、捕集する。
【００３２】
フィルタ１２の強制再生時においては、未燃燃料が添加された排気ガスが酸化触媒装置１１を通過し、その未燃燃料の酸化熱により、排気ガスの温度を上昇する。この排気ガスの温度上昇により、フィルタ１２に堆積したＰＭを燃焼除去する。
【００３３】
図２に例示するように、エンジンから排気ガスが排出されていない場合やフィルタ１２の強制再生を行っていない場合に、フィルタ１２の下流部１２ｅと、保持材２６との間に流方向ｘの下流側に向かって幅が大きくなる間隙が形成されている。このとき、フィルタ１２の上流部１２ｄのみに、上流保持部３１ｄから基準緊迫力Ｆ０が掛かる。
【００３４】
図３に例示するように、フィルタ１２の強制再生を行っている場合に、酸化触媒装置１１における酸化反応により生じた反応熱と、フィルタ１２におけるＰＭの燃焼により生じた燃焼熱とにより、フィルタ１２は熱膨張する。このとき、フィルタ１２の温度分布に応じて、フィルタ１２の上流部１２ｄの熱膨張による変形量よりも下流部１２ｅの熱膨張による変形量が大きくなる。具体的に、上流部１２ｄの径方向ｙに拡大する変形量よりも下流部１２ｅの径方向ｙに拡大する変形量が大きくなる。
【００３５】
このフィルタ１２の上流部１２ｄの熱膨張により、フィルタ１２の上流部１２ｄに、上流保持部３１ｄから基準緊迫力Ｆ０よりも大きな上流緊迫力Ｆｄが掛かる。一方、フィルタ１２の下流部１２ｅの熱膨張により、下流部１２ｅと保持材２６との間に形成されていた間隙が埋まる。このとき、フィルタ１２の下流部１２ｅに、下流保持部３１ｅから上流緊迫力Ｆｄよりも小さな下流緊迫力Ｆｅが掛かる。
【００３６】
以上のように、排気ガス浄化装置１０は、フィルタ１２を保持する構造により、フィルタ１２の下流部１２ｅに伝達される下流緊迫力Ｆｅを上流部１２ｄに伝達される上流緊迫力Ｆｄ以下にした。それ故、フィルタ１２の形状を変更することなく、フィルタ１２の下流部１２ｅが熱膨張した場合に生じる下流緊迫力Ｆｅを抑制してフィルタ１２で生じる熱応力の大きさを小さくできる。これにより、フィルタ１２の強制再生時にフィルタ１２が高温になると下流部１２ｅに生じる過度の熱応力の低減には有利になり、フィルタ１２の耐久性が向上できる。これに伴って、フィルタ１２の交換頻度を低減することができる。
【００３７】
また、フィルタ１２のＰＭの堆積量が多くなり、フィルタ１２の強制再生時の温度がより高温になっても、フィルタ１２の下流部１２ｅに生じる熱応力を低減できる。これにより、フィルタ１２の強制再生に至るまでのＰＭの堆積量の増加には有利になり、フィルタ１２の強制再生の頻度を低下することができる。
【００３８】
さらに、フィルタ１２の形状を変更しないことで、フィルタ１２の形状を変更することで生じる排気抵抗の増加を抑制することができる。これにより、エンジンの燃費の悪化の回避には有利になる。
【００３９】
この実施形態では、保持材２６を全域で均一として、下流保持部３１ｅにおけるフィルタ収納管２３の管径Ｒｅが上流保持部３１ｄにおけるフィルタ収納管２３の管径Ｒｄよりも大きくなる構造とした。これにより、フィルタ１２の管径を変えればフィルタ１２の上流部１２ｄと下流部１２ｅとの熱膨張率の差が大きい場合にも対応できるので、下流部１２ｅに生じる過度の熱応力の低減には有利になる。
【００４０】
特に、フィルタ１２の出口端面１２ｂは、開口部が多く、熱膨張による変形量も大きくなる。そこで、この実施形態のように、下流保持部３１ｅにおけるフィルタ収納管２３を拡径管で構成することが好ましい。これにより、フィルタ１２の強制再生時以外の保持力を維持しつつ、フィルタ１２の強制再生時に、より変形量が大きい出口端面１２ｂにおける緊迫力の低減には有利になる。
【００４１】
図４に例示するように、第二実施形態の排気ガス浄化装置１０は、保持する構造が第一実施形態と異なっている。この実施形態の保持する構造は、フィルタ収納管２３を全域で均一として、上流保持部３１ｄと下流保持部３１ｅとで保持材２６の詰め込み量が異なる構造である。
【００４２】
具体的に、保持する構造は、下流保持部３１ｅにおける単位面積当たりの保持材２６の詰め込み量Ｑｅが、上流保持部３１ｄにおける保持材２６の単位面積当たりの詰め込み量
Ｑｄよりも多い構造である。
【００４３】
単位面積は、フィルタ収納管２３の内筒面における単位面積である。したがって、フィルタ収納管２３を全域で均一とする場合に、フィルタ１２を保持した状態で、上流保持部３１ｄにおける保持材２６は密になり、下流保持部３１ｅにおける保持材２６は粗になる。
【００４４】
保持材２６の詰め込み量を異ならせるには、例えば、フィルタ１２を保持する前の状態において、上流保持部３１ｄにおける保持材２６の厚さを、下流保持部３１ｅにおける保持材２６の厚さよりも厚くする構造が例示できる。また、フィルタ１２を保持した状態において、上流保持部３１ｄにおける保持材２６の厚さ方向の圧縮率を、下流保持部３１ｅにおける保持材２６の厚さ方向の圧縮率を大きくする構造も例示できる。
【００４５】
この実施形態においては、図４に例示するように、エンジンから排気ガスが排出されていない場合やフィルタ１２の強制再生を行っていない場合に、下流保持部３１ｅにおける保持材２６は、上流保持部３１ｄにおける保持材２６よりも粗の状態である。このとき、フィルタ１２の上流部１２ｄ及び下流部１２ｅのそれぞれに、基準緊迫力Ｆ０が掛かる。なお、下流部１２ｅに掛かる基準緊迫力Ｆ０は、上流部１２ｄに掛かる基準緊迫力Ｆ０よりも小さい場合もある。
【００４６】
図５に例示するように、フィルタ１２の強制再生を行っている場合に、フィルタ１２の上流部１２ｄの熱膨張により、フィルタ１２の上流部１２ｄに、上流保持部３１ｄから基準緊迫力Ｆ０よりも大きな上流緊迫力Ｆｄが掛かる。一方、フィルタ１２の下流部１２ｅの熱膨張により、保持材２６が密になる。このとき、フィルタ１２の下流部１２ｅに、下流保持部３１ｅから上流緊迫力Ｆｄよりも小さな下流緊迫力Ｆｅが掛かる。
【００４７】
このように、フィルタ収納管２３を全域で均一にして、保持材２６の詰め込み量を上流保持部３１ｄと下流保持部３１ｅとで異ならせることで、容易に下流緊迫力Ｆｅを上流緊迫力Ｆｄ以下にできる。これにより、大量生産するには有利になる。
【００４８】
図６に例示するように、第三実施形態の排気ガス浄化装置１０は、保持する構造が第一実施形態と異なっている。この実施形態の保持する構造は、フィルタ収納管２３を全域で均一として、上流保持部３１ｄと下流保持部３１ｅとで保持材２６の熱膨張率が異なる構造である。
【００４９】
具体的に、保持する構造は、下流保持部３１ｅにおける保持材２６の熱膨張率Ｐｅが、上流保持部３１ｄにおける保持材２６の熱膨張率Ｐｄよりも小さい構造である。
【００５０】
保持材２６の熱膨張率を異ならせるには、例えば、上流保持部３１ｄにおける保持材２６の加熱膨張材の量を、下流保持部３１ｅにおける保持材２６の加熱膨張材の量よりも多くする構造が例示できる。保持材２６の密度を上流保持部３１ｄと下流保持部３１ｅとで均一にする場合は、加熱膨張材の量とは逆に、耐熱材の量を異ならせるとよい。
【００５１】
この実施形態においては、図６に例示するように、エンジンから排気ガスが排出されていない場合やフィルタ１２の強制再生を行っていない場合に、フィルタ１２の上流部１２ｄ及び下流部１２ｅのそれぞれに、基準緊迫力Ｆ０が掛かる。
【００５２】
図７に例示するように、フィルタ１２の強制再生を行っている場合に、フィルタ１２の上流部１２ｄの熱膨張と保持材２６の熱膨張とにより、フィルタ１２の上流部１２ｄに、上流保持部３１ｄから基準緊迫力Ｆ０よりも大きな上流緊迫力Ｆｄが掛かる。一方、下流
保持部３１ｅにおける保持材２６の熱膨張率Ｐｅは小さく、上流保持部３１ｄにおける保持材２６よりも熱膨張しない。つまり、フィルタ１２の強制再生時において、下流保持部３１ｅにおける保持材２６の厚さは、上流保持部３１ｄにおける保持材２６の厚さよりも薄くなる。つまり、フィルタ１２の下流部１２ｅに、下流保持部３１ｅから上流緊迫力Ｆｄよりも小さな下流緊迫力Ｆｅが掛かる。
【００５３】
このように、フィルタ収納管２３を全域で均一にして、上流保持部３１ｄと下流保持部３１ｅとで異なる材料から構成された保持材２６を用いることで、容易に下流緊迫力Ｆｅを上流緊迫力Ｆｄ以下にできる。これにより、大量生産するには有利になる。
【００５４】
既述の実施形態では、排気ガス浄化装置１０は、フィルタ１２の上流側に酸化触媒装置１１が配置されていることが望ましいので、フィルタ１２の上流側に酸化触媒装置１１を配置した例を説明したが、酸化触媒装置１１を備えていなくてもよい。
【００５５】
既述の実施形態では、酸化触媒装置１１をセラミックスで構成したが、金属の隔壁で構成されたフルースルー型のハニカム基材としてもよい。また、フィルタ１２をウォールフロー型のハニカム基材で構成したが、金属メッシュ型のフィルタを用いてもよい。また、フィルタ１２の下流側に、排気ガスに含有される窒素酸化物を還元除去する選択的還元触媒装置を備えてもよい。
【００５６】
既述した実施形態のそれぞれの保持する構造は、その保持する構造により、フィルタ１２の強制再生時に、下流緊迫力Ｆｅを上流緊迫力Ｆｄ以下にする構造であればよく、各実施形態の構造のいくつかを組み合わせてもよい。例えば、第一実施形態の構造と第二実施形態の構造を組み合わせたり、第二実施形態の構造と第三実施形態の構造を組み合わせたりしてもよい。また、各実施形態の構造を全て組み合わせてもよい。
【００５７】
既述した実施形態では、フィルタ１２を上流部１２ｄと下流部１２ｅとに区分し、保持する構造を上流保持部３１ｄと下流保持部３１ｅとから構成した例を説明したが、フィルタ１２を三つ以上に区分し、保持する構造をその区分に対応させてもよい。また、フィルタ１２を明確に区分せずに、フィルタ１２の流方向ｘの上流側から下流側に徐々に緊迫力が変化するように、保持する構造を構成してもよい。
【符号の説明】
【００５８】
１  排気管
１０  排気ガス浄化装置
１２  フィルタ
１２ａ  入口端面
１２ｂ  出口端面
１２ｃ  外周面
２３  フィルタ収納管
２６  保持材
Ｆｄ  上流緊迫力
Ｆｅ  下流緊迫力
【図１】
2018009509.tif 000003
【図２】
2018009509.tif 000004
【図３】
2018009509.tif 000005
【図４】
2018009509.tif 000006
【図５】
2018009509.tif 000007
【図６】
2018009509.tif 000008
【図７】
2018009509.tif 000009